(57)【要約】【課題】本考案は室内空気循環用の送風装置に関し、ファンの駆動により吸入口から室内空気を吸入し、吹出口から吹出して室内空気を強制循環する構造の送風装置において、空気触媒を送風通路に設けることにより室内全域の消臭を迅速かつ効率的に行うのと、抗菌と、防カビと、防汚とを発揮するものである。【解決手段】天井Ｔ等の取付壁面内に埋め込むか、又は吊り下げる等してハウジング１が取付可能に設けられ、ハウジングに設けられたファン２の駆動力により吸入口３から室内空気が吸入され、吹出口４から吹出されることにより室内空気を循環させる室内空気循環用の送風装置において、吸入口または／および吹出口に連通する送気通路７の内壁面の全部又は一部に空気中の酸素と水とが接触して生成される二価酸素と酸化オゾンとの酸化還元反応を惹起するとともに、酸素の還元により生成するＯ2-が、過酸化物や過酸化水素となってＯＨを生成する形式の空気触媒の脱臭膜層８を形成した。【選択図】図１
0003105579.tif 000002
【実用新案登録請求の範囲】
【請求項１】
天井等の取付壁面内に埋め込むか、又は吊り下げる等してハウジングが取付可能に設けられ、該ハウジングに設けられたファンの駆動力により吸入口から室内空気が吸入され、吹出口から吹出されることにより室内空気を循環させる室内空気循環用の送風装置において、前記吸入口または／および前記吹出口に連通する送気通路の内壁面の全部又は一部に空気中の酸素と水とが接触して生成される二価酸素と酸化オゾンとの酸化還元反応を惹起するとともに、酸素の還元により生成するＯ2-が、過酸化物、または過酸化水素となってＯＨを生成する形式の空気触媒の脱臭膜層を形成したことを特徴とする室内空気循環用の送風装置。
【請求項２】
前記脱臭膜層が、少なくとも前記吹出口内に設けられる多数の格子状の整流板の表面に形成されることを特徴とした請求項１に記載の室内空気循環用の送風装置。
【請求項３】
前記脱臭膜層が、前記ハウジングの吸入口側または／および吹出口側に設けたチャンバーの内壁に沿って内蔵する多孔質の消音材の内部および表面に付着されたことを特徴とする請求項１,２に記載の室内空気循環用の送風装置。
【請求項４】
前記脱臭膜層が、燐酸チタニウム、またはその化合物により形成されることを特徴とした請求項１,２,３に記載の室内空気循環用の送風装置。
【考案の詳細な説明】
【技術分野】
【０００１】
本考案は室内空気循環用の送風装置に関し、ファンの駆動により吸入口から室内空気を吸入し、吹出口から吹出して室内空気を強制循環する構造の送風装置において、空気触媒を送風通路に設けることにより室内全域の消臭を迅速かつ効率的に行うのと、抗菌と、防カビと、防汚とを発揮しようとするものである。
【背景技術】
【０００２】
従来、例えば消臭剤、抗菌剤、防カビ剤としては、酸化チタンが一般的に用いられている。しかしながら、酸化チタンを基材の上に担持するためには、シリコン系のバインダー、有機系のバインダー等のバインダーが必要とされている。しかも、バインダーの膜表面に均一に酸化チタンを担持しなければ酸化チタンの活性が低く、かつ活性化チタンの触媒効果によるバインダーの損傷が生ずる不都合があった。
【０００３】
また、酸化チタンは、光（紫外線）の照射なしでは活性効果を発揮せず、結局、暗室では活性効果は期待できない。
【０００４】
これらの酸化チタンの問題点を解決する消臭剤、抗菌剤、防カビ剤として最近、光を照射することなく活性を有し、しかもバインダーを必要とせずに構造的にも堅牢な消臭、抗菌、防カ等の活性を示し、かつ人畜に無害で環境に優しい物として燐酸チタニウム系化合物またはその縮合体が注目を浴びつつある（例えば特許文献１参照）。
【０００５】
ところで、夏期に空気調和器機としての冷房機を用いて室内を冷房する場合に、比重が重く天井近くよりは床面近くに停滞しがちな冷気、また冬期に空気調和機としての暖房機を使用して室内を暖房する場合に、比重が軽く生活領域としての床面近くよりは天井近くに停滞しがちな暖気等の室内空気を効率的に環流するために、天井等の取付壁面内に埋め込むか、又は吊り下げる等してハウジングが取付可能に設けられ、該ハウジングに設けられたファンの駆動力により吸入口から室内空気が吸入され、吹出口から吹出して室内空気を循環させるという、小型にして構造的にも簡単な室内空気循環用の送風装置があり、本出願人は既に出願済みである（例えば特許文献２参照）。
【特許文献１】特開２００２−３０８７１２号公報
【特許文献２】特開２００４−６１０５９号公報
【考案の開示】
【考案が解決しようとする課題】
【０００６】
しかしながら、特許文献１に記載の上記従来の燐酸チタニウム系化合物またはその縮合体よりなる消臭剤、抗菌剤、防カビ剤は、例えばインテリア用品、衣料品、寝装品、身の回り品、日用品およびレジャー用品等に使用されるものであり、生活空間としての室内空気の環流をはかり、年中を通じて最適温度に過ごすために使用する室内空気循環用の送風装置に適用し、室内全域の消臭と、抗菌と、防カビと、防汚とをはかろうとするものではない。
【０００７】
ところで、室内空気循環用の送風装置に適用して室内空気を循環する場合に、夏期に空気調和機として冷房機を使用して室内を冷房すると、冷気としての室内空気は、比重が重く天井近くよりは床面近くに停滞しがちである。従って、冷房機による冷房設定温度を極度に低く設定したり、使用者が長時間、床面近くの所在領域に居座ると、天井面付近と床面付近との温度差の影響を受けて冷房病等になったり、血行不良になり、体調が悪化する。
【０００８】
しかも、必要設定温度以下に冷房機を運転したり、必要時間以上、冷房機を運転することは、大きな消費電力を必要とし、エネルギー効率が悪いものであった。
【０００９】
また、冬期に空気調和機として暖房機を運転して室内を暖房する場合には、暖気は比重が軽く生活領域や行動領域としての床面に近い個所よりは天井近くに停滞しがちである。
【００１０】
従って、暖房機の設定温度を極度に高く設定することにより必要以上に、空気調和機を運転することは、冷房時と同様に大きな消費電力が必要になり、エネルギー効率が悪いものであった。
【００１１】
しかも、室内空気の還流を迅速且つ効率良く行うためには、冷房時の冷気や暖房時の暖気は、室内の上下方向の温度分布の均一化のみを考慮して還流を行うのではなく、空気調和機の吹出口に近い個所であるとか、また直接冷却空気が到達しにくい個所であるとか、直射日光が入り易い窓辺であるとか、冷気や暖気が外部に出易い入口に近い個所であるとか、床面に対して天井高さに高低差があるとか、冷凍機等の熱発生源が備えられている場合には熱発生源に近いか、遠くに離れているか等の平面的な相違に起因する温度むらの均一化をはかることを考慮して還流をはからなければならなかった。
【００１２】
また、冬期には室内空気は低温乾燥し、反対に梅雨時には室内空気は高温多湿になりがちである等、室内空気の還流には多々の事情、問題があった。
【００１３】
本考案は上記従来の不都合および諸問題を解決し、夏期および冬期の年中を通じて、エネルギー効率が良く、室内空気を均一に還流して室内温度を上下方向のみならず、平均的な相違に起因する温度むらがなく、均一化をはかることができるとともに、年中を通じて室内全域の消臭を迅速かつ効率的に行うのと、抗菌と、防カビとを発揮し、また、構造簡単にして製作および組付も容易で製作コストは安価な室内空気循還用の送風装置を提供することを目的とする。
【課題を解決するための手段】
【００１４】
本考案は上記課題に鑑みなされたものであり、請求項１に記載の考案は、天井等の取付壁面内に埋め込むか、又は吊り下げる等してハウジングが取付可能に設けられ、該ハウジングに設けられたファンの駆動力により吸入口から室内空気が吸入され、吹出口から吹出されることにより室内空気を循環させる室内空気循環用の送風装置において、前記吸入口または／および前記吹出口に連通する送気通路の内壁面の全部又は一部に空気中の酸素と水とが接触して生成される二価酸素と酸化オゾンとの酸化還元反応を惹起するとともに、酸素の還元により生成するＯ2-が、過酸化物、または過酸化水素となってＯＨを生成する空気触媒の脱臭膜層を形成したことを特徴とする。
【００１５】
また、本考案の請求項２に記載の考案は、請求項１において、前記脱臭膜層が、少なくとも前記吹出口内に設けられる多数の格子状の整流板の表面に形成されることを特徴とする。
【００１６】
また、本考案の請求項３に記載の考案は、請求項１,２において、前記脱臭膜層が、前記ハウジングの吸入口側または／および吹出口側に設けたチャンバーの内壁に沿って内蔵する多孔質の消音材の内部および表面に付着されたことを特徴とする。
【００１７】
また、本考案の請求項４に記載の考案は、請求項１,２,３において、前記脱臭膜層が、燐酸チタニウム、またはその化合物により形成されることを特徴とした。
【考案の効果】
【００１８】
本考案は、夏期および冬期の年中を通じて、エネルギー効率が良く、室内空気を均一に還流して室内温度を上下方向のみならず、平均的な相違に起因する温度むらがなく、均一化をはかることができるとともに、年中を通じて室内全域の消臭を迅速かつ効率的に行うのと、抗菌と、防カビとを発揮し、また、構造簡単にして製作および組付も容易で製作コストは安価になる。
【考案を実施するための最良の形態】
【００１９】
以下図面に従い、本考案を実施するための最良の形態につき詳細を説明する。
【００２０】
図１は本考案の室内空気循環用の送風装置の実施形態１を示す断面図、図２は同じく本実施形態１で使用するグリル板の下面図、図３は同じく本実施形態１で使用する整流板を説明的に示す拡大下面図、図４は本実施形態１の送風装置を検証するために、経時の室内の消臭状況を測定したグラフである。
【００２１】
本実施形態１は、天井Ｔ等の取付壁面内に図示するように埋め込むか、又は吊り下げる等してハウジング１が取付可能に設けられ、該ハウジング１に設けられたファン２の駆動により吸入口３から室内空気が吸入され、吹出口４から吹出されることにより室内空気を循環させる室内空気循環用の送風装置Ｆにおける点は例えば特許文献２に記載の発明と同様の構成、作用である。
【００２２】
そして、前記ファン２は、駆動源としてのモータＭと、該モータＭの駆動力により吸入する前記吸入口３と、吸入した室内空気を送風するように前方（図１ではモータＭの下方）に配した送風筒５に設ける前記吹出口４と、内部には駆動源としての前記モータＭにより駆動される整流羽根６とを有するものであり、室内Ｎの天井Ｔに所望複数個、床面に向けてそれぞれ垂直下向Ｘに配置している。
【００２３】
しかしながら、本実施形態１では、前記ハウジング１の前記吸入口３および前記吹出口４に連通する送気通路７の内壁面の全部又は一部に空気中の酸素と水とが接触して生成される二価酸素と酸化オゾンとの酸化還元反応を惹起するとともに、酸素の還元により生成するＯ2-が、過酸化物、または過酸化水素となってＯＨを生成する形式の空気触媒の脱臭膜層８を形成している。
【００２４】
図示する本実施形態１では、前述のように室内Ｎの天井Ｔに所望複数個、床面に向けて取付板９にねじ止めされる等して取付けられるハウジング１内の前記吸入口３および前記送風筒５内の前記吹出口４に連通する送気通路７に設ける前記脱臭膜層８が、前記吹出口４に設けられる多数の格子状の整流板１０の表面に形成される。
【００２５】
前記脱臭膜層８としては、本実施形態１では、例えば燐酸チタニウム、またはその化合物が使用される。そして、脱臭膜層８を前記整流板１０の表面に形成するのには、噴霧器を用いて前記整流板１０の表面に吹き付け、その後、乾燥処理するだけの簡単な取扱操作により形成されるが、これは例示であり、噴霧器を用いて脱臭膜層８を吹き付けるほか、燐酸チタニウム、またはその化合物を収容する槽内に整流板１０を浸積したり、刷毛やローラを用いて塗布する等して脱臭膜層８を形成することもできる。
【００２６】
また、格子状の整流板１０は、本実施形態１では、合成樹脂可塑物や木材によりその外形が、図３に示すように直径φが１２０ｍｍよりも僅かに大きい円筒形に形成した送風筒５内に、送風筒５の中心Ｏを底面９０°にて直交して通る直径１２０ｍｍを長さＬ１とする２枚の整流板１０ａ,１０ａと、該整流板１０ａ,１０ａの左右および前後の両方向に約１７ｍｍの間隔ｌをあけて設けた長さＬ２が約１１４ｍｍをなす４枚の整流板１０ｂ,１０ｂ；１０ｂ,１０ｂと、該整流板１０ｂ,１０ｂ；１０ｂ,１０ｂの左右および前後の両側に約１７ｍｍの間隔ｌをあけて設けた長さＬ３が約１０２ｍｍをなす４枚の整流板１０ｃ,１０ｃ；１０ｃ,１０ｃと、該整流板１０ｃ,１０ｃ；１０ｃ,１０ｃの左右および前後の両側に約１７ｍｍの間隔ｌをあけて設けた長さＬ４が約７７ｍｍをなす４枚の整流板１０ｄ,１０ｄ；１０ｄ,１０ｄとにより、底面が約１７ｍｍ2角であり、且つ、高さＨが１００ｍｍ程度の格子Ｋとして形成される。
【００２７】
このように、底面格子状の整流板１０を設けるのは、整流板１０の表面積Ｓを増大するためのと、ファン２からの風量および風速の低減に影響はなく、むしろ空気の直進性と風速の増加とが促進されるためである。この格子Ｋは、前記送風筒５に一体に形成しても良いし、別体に形成してもよい。また、整流板１０の設置個数の増減変更は図示するものに限らず、自由であり、しかも、格子Ｋの形状、大きさも自由に設定される。
【００２８】
そして、図に示す本実施形態１の前記整流板１０の合計の表面積Ｓを求めると、
表面積Ｓ＝長さＬ１×高さＨ×２（表裏両面）×２（枚数）＋長さＬ２×高さＨ×２（表裏両面）×４（左右および前後に設けた整流板１０の枚数）＋長さＬ３×高さＨ×２（表裏両面）×４（左右および前後に設けた整流板１０の枚数）＋長さＬ４×高さＨ×２（表裏両面）×４（左右および前後に設けた整流板１０の枚数）
＝１２０×１００×２×２＋１１４×１００×２×４＋１０２×１００×２×４＋７７×１００×２×４
＝４８,０００＋９１,２００＋８１,６００＋６１,６００
＝２３９,２００（ｍｍ2）＝２,３９２（ｃｍ2）になる。
【００２９】
また、前記合成樹脂可塑物としては、調達が容易で安価に入手でき、また、成形加工が容易であり、しかも成形後は引張りおよび圧縮に対して構造堅牢であり、耐温度特性に優れ、紫外線に対しても劣化がなく、汚れに対して強い例えばＡＢＳ樹脂、ポリカーボネート樹脂、シリコーン樹脂等が使用される。
【００３０】
また、前記送風装置Ｆは、本実施形態１では具体的に、例えば日本電産エレクトロニクス株式会社製のＤＣ小型ファン（型式Ｄ０８Ｔ−１２ＴＵ）、定格電圧がＤＣ（直流）１２Ｖ、消費電力が２．４（Ｗ）、最大風量１．５５（ｍ3／ｍｉｎ）、風速５．４１（ｍ／ｓ）が使用される。
【００３１】
１１は前記送風筒５の下面に着脱自在に取付けられるフランジ部１１ａを外周に設け、多数の開口が設けられたグリル板であり、このグリル板１１を送風筒５の下面に着脱自在に取付けたのは、送風装置Ｆの取付後にもグリル板１１を取外すことにより送風装置Ｆ内の清掃や保守・点検を容易かつ確実に行うためである。
【００３２】
本実施形態１の室内空気循環用の送風装置は以上の構成からなり、例えば冬期に室内Ｎを空気調和機としての暖房機により暖房すると、暖房機により暖められて比重が軽くなった暖気は室内Ｎを天井面に向かって上昇される。
【００３３】
そして、室内Ｎの天井Ｔ等の取付壁面内に埋め込むか、又は吊り下げる等してハウジング１が取付可能に設けられた送風装置ＦのモータＭが駆動されると、該ハウジング１に設けたファン２の回動により吸入口３から室内空気としての暖気が吸入され、送風筒５の吹出口４から室内空気が床面に向けて吹出されることにより室内空気は室内Ｎを循環される。
【００３４】
この時、本実施形態１の室内空気循環用の送風装置Ｆでは、格子状の整流板１０は、図３に示すように、合成樹脂可塑物や木材によりその外形が、直径φ１２０ｍｍよりも僅かに大きい円筒形に形成した送風筒５内に、送風筒５の中心Ｏを底面９０°にて直交して通る直径１２０ｍｍを長さＬ１とする２枚の整流板１０ａ,１０ａと、該整流板１０ａ,１０ａの左右および前後の両側に約１７ｍｍの間隔ｌをあけて設けた長さＬ２が約１１４ｍｍをなす４枚の整流板１０ｂ,１０ｂ；１０ｂ,１０ｂと、該整流板１０ｂ,１０ｂ；１０ｂ,１０ｂの左右および前後の両側に約１７ｍｍの間隔ｌをあけて設けた長さＬ３が約１０２ｍｍをなす４枚の整流板１０ｃ,１０ｃ；１０ｃ,１０ｃと、該整流板１０ｃ,１０ｃ；１０ｃ,１０ｃの左右および前後の両側に約１７ｍｍの間隔ｌをあけて設けた長さＬ４が約７７ｍｍをなす４枚の整流板１０ｄ,１０ｄ；１０ｄ,１０ｄとにより底面が約１７ｍｍ2角であり、且つ、高さＨが１００ｍｍ程度の多数の格子Ｋとして形成されるので、ファン２の回動により吸入口３から吸入された室内空気は送風筒５内を風量および風速を低減されることなく整流され、吹出口４から直進的に風速が増加されて床面に向かって吹き出されて室内空気の還流が迅速かつ円滑に行われる。
【００３５】
また、この格子Ｋは、送風筒５に一体に形成しても良いし、別体に形成してもよい。
【００３６】
そして、例えば、床面積が１００ｍ2、天井高さが３ｍの室内Ｎを想定した場合に、室内Ｎに４台の送風装置Ｆを備えると、１台毎の送風装置Ｆの室内空気の吹き出し空気容量は毎時３００ｍ3であるので、４台の送風装置Ｆの室内空気の毎時空気通過量は１２００ｍ3になる。
【００３７】
従って、比重が軽く、室内Ｎの生活領域や行動領域としての床面に近い個所よりは天井２近くに停滞しがちな暖気は、迅速且つ効率的に還流される。
【００３８】
すなわち、室内Ｎの上下方向の温度分布の均一化のみを考慮して還流を行うのではなく、例えば空気調和機の吹出口に近い個所であるとか、また直接暖気が到達しにくい個所であるとか、直射日光が入り易い窓辺であるとか、暖気が外部に出易い入口に近い個所であるとか、床面に対して天井高さに高低差があるとか、ストーブ、ヒータ；冷凍機、冷蔵庫等の熱発生源が備えられている場合には、室内空気は熱発生源に近いか、遠くに離れているか等の平面的な相違に起因する温度むらがなく、均一に還流される。
【００３９】
しかも、暖房機の設定温度を極度に高く設定することにより必要以上に、空気調和機を運転しなくても済み、大きな消費電力を必要とせずに、エネルギー効率が良く室内空気の還流をはかることができる。
【００４０】
また、本実施形態１では、送風装置Ｆのハウジング１の前記吸入口３および前記吹出口４に連通する送気通路７の内壁面、具体的には、送風筒５内に設けた多数の格子状の整流板１０の表面に燐酸チタニウム、またはその化合物よりなる空気触媒の脱臭膜層８を図に示すように全部、又は図には示さないが一部に形成しているので、空気中の酸素と水とが脱臭膜層８に接触して生成される二価酸素と酸化オゾンとの酸化還元反応を脱臭膜層８が惹起するとともに、脱臭膜層８により酸素の還元により生成するＯ2-が、過酸化物、または過酸化水素となってＯＨを生成する。
【００４１】
従って、送風装置Ｆの吸入口３から吸い込まれ、送気通路７内を通過することにより脱臭膜層８に接触する室内空気に含まれたり、送気通路７に接触している有機物は、空気中の酸素と水とが脱臭膜層８に接触して生成される二価酸素と酸化オゾンとの酸化還元反応と、脱臭膜層８の酸素の還元でのＯ2-による過酸化物、または過酸化水素からのＯＨとにより分解されて消臭がなされるのと、抗菌機能とを発揮するため、室内空気は吹出口４から吹出され、室内Ｎの消臭が隈無く均一に行われ、しかも、防カビと、防汚とをはかることができる。
【００４２】
この際、本実施形態１の室内空気循環用の送風装置Ｆでは、格子状の整流板１０は、前述のように、合成樹脂可塑物等によりその外形が、直径φ１２０ｍｍよりも僅かに大きい円筒形に形成した送風筒５内に、送風筒５の中心Ｏを底面９０°にて直交して通る直径φ１２０ｍｍを長さＬ１とする２枚の整流板１０ａ,１０ａと、該整流板１０ａ,１０ａの左右および前後の両側に約１７ｍｍの間隔ｌをあけて設けた長さＬ２が約１１４ｍｍをなす４枚の整流板１０ｂ,１０ｂ；１０ｂ,１０ｂと、該整流板１０ｂ,１０ｂ；１０ｂ,１０ｂの左右および前後の両側に約１７ｍｍの間隔ｌをあけて設けた長さＬ３が約１０２ｍｍをなす４枚の整流板１０ｃ,１０ｃ；１０ｃ,１０ｃと、該整流板１０ｃ,１０ｃ；１０ｃ,１０ｃの左右および前後の両側に約１７ｍｍの間隔ｌをあけて設けた長さＬ４が約７７ｍｍをなす４枚の整流板１０ｄ,１０ｄ；１０ｄ,１０ｄとにより底面が約１７ｍｍ2角であり、且つ、高さＨが１００ｍｍ程度の多数の格子Ｋとして形成されるので、ファン２の回動により吸入口３から吸入された室内空気は送風筒５内を格子状の整流板１０に充分に接触しながら整流され、しかも、風量および風速を低減されることなく、吹出口４から直進的に風速は増加されて吹き出される。
【００４３】
そして、本実施形態１の前記整流板１０の合計の表面積Ｓを考察すると、
表面積Ｓ＝長さＬ１×高さＨ×２（表裏両面）×２（枚数）＋長さＬ２×高さＨ×２（表裏両面）×４（左右および前後の枚数）＋長さＬ３×高さＨ×２（表裏両面）×４（左右および前後の枚数）＋長さＬ４×高さＨ×２（表裏両面）×４（左右および前後の枚数）
＝１２０×１００×２×２＋１１４×１００×２×４＋１０２×１００×２×４＋７７×１００×２×４
＝４８,０００＋９１,２００＋８１,６００＋６１,６００
＝２３９,２００（ｍｍ2）＝２,３９２（ｃｍ2）になる。
【００４４】
従って、図に示すような本実施形態１の送風装置Ｆでは、吸入口３および吹出口４に連通して設ける室内空気の送気通路７が、コンパクトな構造であるのに対してこの送気通路７内の吹出口４に設ける多数の格子状の整流板１０は、大きな表面積Ｓを占める。
【００４５】
このため、本実施形態１の送風装置Ｆでは、前述のようにエネルギー効率が良く室内空気の還流がはかれるとともに、多数の格子状の整流板１０の表面に形成されている燐酸チタニウム、またはその化合物よりなる空気触媒の脱臭膜層８による室内Ｎの消臭と、抗菌と、防カビと、防汚とを迅速かつ効率的に行うことができる。
【００４６】
図４は本実施形態１の送風装置Ｆを検証するために、経時の室内Ｎの消臭状況を測定したグラフである。
【００４７】
測定には、約１９ｍ2の広さの室内Ｎのドアを閉めて室内Ｎを密閉したまま４本のたばこを喫煙し、ニオイセンサーを用いて本実施形態１の送風装置Ｆを駆動した場合の経時の臭いの測定を行ってその測定値を線イで表示し、また、送風装置Ｆを駆動しない場合の臭いの測定をそれぞれ行いその測定値を線ロで表示するようにした。この時、ニオイセンサーとしては、新コスモス株式会社製（ＸＰ−３２９III）のものを使用した。
【００４８】
図４に示すグラフから室内Ｎでのニオイレベルは喫煙前では１５０前後であるが、本実施形態１の送風装置Ｆを駆動した場合の１時間（６０分）経過後の室内Ｎでのニオイレベルは、約１００程度であり、その後約２時間（１２０分）経過後のニオイレベルは、約７５以下にも低下する。これに対して本実施形態１の送風装置Ｆを駆動しない場合の１時間（６０分）経過後の室内Ｎのニオイレベルは、約１５０〜１９０と高く、その後は僅かに減少するが、約２時間（１２０分）経過後でもニオイレベルは、約１５０前後を推移し変化が少ない。
【００４９】
このように、本実施形態１の送風装置Ｆを駆動した場合と、駆動しない場合とでは、たばこの喫煙後、１時間経過すると、歴然とした差が見られ、本実施形態１の送風装置Ｆを駆動した時にはが消臭が極めて高く行われることがわかった。
【００５０】
また、例えば高温多湿の夏期に室内Ｎを空気調和機としての冷房機により冷房すると、冷房機により冷やされた比重が重くなった冷気は室内Ｎの床面近くに停滞しがちになるが、この冷気は、送風装置Ｆを駆動することによりファン２を回動させて室内空気を吸込口３から吸込んで、吹出口４から吹き出すことにより迅速且つ効率的に還流を行うことができる。
【００５１】
この時、室内Ｎの上下方向の温度分布の均一化のみを考慮して室内空気の還流を行うのではなく、例えば空気調和機の吹出口４に近い個所であるとか、また直接冷気が到達しにくい個所であるとか、直射日光が入り易い窓辺であるとか、冷気が外部に出易い入口に近い個所であるとか、床面に対して天井高さが高低差があるとか、ヒータ、冷凍機、冷房機等の熱発生源が室内Ｎに備えられている場合には熱発生源に近いか、遠くに離れているか等の平面的な相違に起因する温度むらがなく、均一に還流がはかれる。
【００５２】
従って、冷房機の設定温度を極度に低く設定することにより必要以上に、冷房機を運転しなくても済み、大きな消費電力を必要とせずに、エネルギー効率が良く室内空気の還流がはかれるとともに、使用者が長時間、床面近くの所在領域に居座る場合に、天井面付近と床面付近との温度差の影響を受けて冷房病等になったり、血行不良になる等の体調が悪化する等の不都合がなくなり、且つ、空気触媒よりなる脱臭膜層８による室内Ｎの消臭と、抗菌と、防カビとを確実に発揮することができる。
【００５３】
次いで、図５および図６は本発明の室内空気循環用の送風装置Ｆの実施形態２である。
【００５４】
この実施形態２では、天井Ｔ等の取付壁面内に埋め込むか、又は吊り下げる等してハウジング１が取付可能に設けられ、該ハウジング１に設けられたファン２の駆動力により吸入口３から室内空気が吸入され、吹出口４から吹出されることにより室内空気を循環させる室内空気循環用の送風装置である点は、前記実施形態１と同様の構成、作用であるであるが、この実施形態２では、室内空気の送気通路７の断面積が小さく、前記実施形態１で見られる格子状の整流板１０の設置が不向きな場合に最適に適用されるものであり、前記脱臭膜層８が、前記ハウジング１の吸入口３側および吹出口４側に設けたチャンバー２０の内壁に沿って内蔵する多孔質の消音材２１の内部および表面に形成されている。
【００５５】
２２はチャンバー２０の外側、例えば図５においては下方に設けられた送風方向を指向する指向部としてのノズルであり、このノズル２２はチャンバー２０から吐出される室内空気の送風方向を所望方向に変更可能にするためのものである。このノズル２２は、本実施形態ではハウジング１の下部に係合手段２３により着脱自在に取付けられ、摺り合わせ曲面部２４ａを内側に有する抱持筒部２４を設けた取付板２５と、該取付板２５の抱持筒部２４内に前後、左右如何なる方向へも摺動可能に組込まれる略球状をなす取付基部２６と、該取付基部２６の下方に設けられた噴出口部２７と、前記取付基部２６を摺動自在に保持し前記取付板２５の下方にビス止めされるスタッド２８を有する抑え板２９とにより形成される。
【００５６】
そして、本実施形態２は、夏期に空気調和機として冷房機を使用して室内Ｎを冷房する場合、または、冬期に空気調和機として暖房機を運転して室内を暖房する場合に、冷房機により冷却される冷気、または暖房機により暖房される暖気等の室内空気を送風装置Ｆのファン２を回動することにより室内Ｎの上下方向の温度分布の均一化のみを考慮して還流を行うのではなく、空気調和機の吹出口４に近い個所であるとか、また直接冷気や暖気が到達しにくい個所であるとか、直射日光が入り易い窓辺であるとか、冷気や暖気が外部に出易い入口に近い個所であるとか、床面に対して天井高さに高低差があるとか、冷凍機、冷蔵庫；ストーブ、ヒータ等の熱発生源が備えられている場合には、熱発生源に近いか、遠くに離れているか等の室内Ｎの平面的な相違に起因して室内空気を温度むらがなく、迅速かつ大きな消費電力を必要とすることなくエネルギー効率が良く循環することができるとともに、ハウジング１の吸入口３側および吹出口４側に設けたチャンバー２０の内壁に沿って内蔵する、例えば連続気泡性のウレタン・フォーム、スポンジゴム等の多孔質の消音材２１によって消音機能を確実に発揮するのと、多孔質により表面積が増加された消音材２１の内部および表面に形成されている空気触媒よりなる脱臭膜層８により高温多湿の環境下でも、吸入口３から吸い込まれ、送気通路７内を通過することにより脱臭膜層８に充分に接触する室内空気に含まれたり、送気通路７に接触している有機物を、空気中の酸素と水とが脱臭膜層８に接触して生成される二価酸素と酸化オゾンとの酸化還元反応と、脱臭膜層８の酸素の還元でのＯ2-による過酸化物、または過酸化水素からのＯＨとにより確実に分解して消臭と、抗菌機能とを遺憾なく発揮して室内Ｎの消臭と、抗菌と、防カビとを確実に発揮することができるという優れた作用・効果がある。
【００５７】
なお、上記実施形態１では、吸入口３および吹出口４に連通する送気通路７の内壁面の全部に、空気触媒よりなる脱臭膜層８を形成しているが、これに限らず、吸入口３または吹出口４に連通する送気通路７の内壁面の一部に脱臭膜層８を形成し、また、実施形態２では、ハウジング１の吸入口３側および吹出口４側に設けたチャンバー２０の内壁に沿って内臓する多孔質の消音材２１の内部および表面に空気触媒よりなる脱臭膜層８を形成させているが、これに限らず図には示さないがハウジング１の吸入口３側または吹出口４側の何れか一方に設けたチャンバー２０の内壁に沿って内蔵する多孔質の消音材２１の内部および表面に脱臭膜層８を形成することにより、脱臭と、抗菌と、防カビとを発揮することも本発明の適用範囲である。
【産業上の利用可能性】
【００５８】
本考案は、夏期および冬期の年中を通じて、エネルギー効率が良く、室内空気を均一に還流して室内温度を上下方向のみならず、平均的な相違に起因する温度むらがなく、均一化をはかることができるとともに、年中を通じて室内全域の消臭を迅速かつ効率的に行うのと、抗菌と、防カビとを発揮し、また、構造簡単にして製作および組付も容易で製作コストは安価になす用途・分野に適する。
【図面の簡単な説明】
【００５９】
【図１】図１は本考案の室内空気循環用の送風装置の実施形態１を示す断面図である。
【図２】図２は同じく本実施形態１で使用するグリル板の下面図である。
【図３】図３は同じく本実施形態１で使用する整流板を説明的に示す拡大下面図である。
【図４】図４は本実施形態１の送風装置を検証するために、経時の室内の消臭状況を測定したグラフである。
【図５】図５は本考案の室内空気循環用の送風装置の実施形態２を示す断面図である。
【図６】図６は同じく本実施形態２を構成する消音材の拡大断面図である。
【符号の説明】
【００６０】
１      ハウジング
２      ファン
３      吸入口
４      吹出口
５      送風筒
７      送気通路
８      脱臭通路
１１    グリル板
２０    チャンバー
２１    消音材
Ｆ      送風装置
Ｔ      天井
Ｘ      垂直下向
【図１】
0003105579.tif 000003
【図２】
0003105579.tif 000004
【図３】
0003105579.tif 000005
【図４】
0003105579.tif 000006
【図５】
0003105579.tif 000007
【図６】
0003105579.tif 000008